(57)【要約】      （修正有）【課題】シャツの胸ポケットに挿しても軽くて柔軟で位置ずれしにくく、クールビズでも手軽にフォーマルさを演出したりファッション性を楽しんだりできるポケットチーフを提供する。【解決手段】シャツ３１の胸ポケット３２に差し込まれて保持される本体部１２と、本体部の端に形成されて本体部を胸ポケットに保持したときに胸ポケットから出る装飾部１３を有したポケットチーフ１１において、本体部１２と装飾部１３を繊維製シートで形成し、本体部は長手方向で２つ折りすると胸ポケットに収まる長さとして、本体部の長手方向の両端部に装飾部を形成する。そして装飾部における本体部側の端部の幅方向の両端に、本体部よりも幅方向に突出して本体部を胸ポケットに保持したときに胸ポケットの口３２ａに係止する係止部１４を形成する。【選択図】図１
0003204622.tif 000002
【実用新案登録請求の範囲】
【請求項１】
シャツの胸ポケットに差し込まれて保持される本体部と、該本体部の端に形成されて前記本体部を前記胸ポケットに保持したときに前記胸ポケットから出る装飾部を有したポケットチーフであって、
前記本体部と前記装飾部が繊維製シートで形成され、
前記装飾部に、前記本体部を前記胸ポケットに保持したときに前記胸ポケットの口に係止する係止部が形成された
ポケットチーフ。
【請求項２】
前記係止部が、前記装飾部における前記本体部側の端部の幅方向の端に前記本体部よりも幅方向に突出形成された突出部分及び／又は前記装飾部の折り返し部分である
請求項１に記載のポケットチーフ。
【請求項３】
前記繊維製シートが吸水性及び／又は払拭性能を有するものである
請求項１または請求項２に記載のポケットチーフ。
【請求項４】
前記装飾部の表裏両面が互いに異なる意匠を有する
請求項１から請求項３のうちいずれか一項に記載のポケットチーフ。
【請求項５】
前記本体部の長さが、本体部を長手方向の中間部で折り返して該折り返し部を下にして前記胸ポケットに保持して前記係止部を前記胸ポケットの口に係止したときに、前記折り返し部が前記胸ポケットの底部に位置する長さである
請求項１から請求項４のうちいずれか一項に記載のポケットチーフ。
【請求項６】
前記装飾部が前記本体部の長手方向の両端部に形成された
請求項１から請求項５のうちいずれか一項に記載のポケットチーフ。
【請求項７】
前記本体部が、携行品入れとなる空間を内部に有する袋状である
請求項１から請求項４のうちいずれか一項に記載のポケットチーフ。
【請求項８】
前記本体部における少なくとも前記装飾部側の部位が、前記胸ポケットの幅よりも幅広である
請求項１から請求項７のうちいずれか一項に記載のポケットチーフ。
【請求項９】
前記本体部における前記装飾部近傍部位にも前記意匠を有する
請求項４から請求項８のうちいずれか一項に記載のポケットチーフ。
【考案の詳細な説明】
【技術分野】
【０００１】
この発明は、シャツの胸ポケットに入れて使用できるポケットチーフに関する。
【背景技術】
【０００２】
ポケットチーフは背広やジャケットなどの上着のためのものであった。ポケットチーフは正方形の布であり、折りたたまれてから一部を露出した状態で上着の胸ポケットに挿入される。ポケットチーフは現代では礼装には欠かせないほどに浸透しているアイテムであるが、たたむのが難しいなどの難点がある。
【０００３】
このため、例えば下記特許文献１に開示されているように、胸ポケットに挿入される大きさの薄板状の基板と、この基板の端部に備えられた整形されたチーフからなるポケットチーフが提案されている。このポケットチーフは基板を胸ポケットに挿入するだけで胸元を装飾できるという利点がある。
【０００４】
しかし、クールビズが当たり前になった今、そのフォーマルさやファッション性を活かそうとして特許文献１のようなポケットチーフをシャツの胸ポケットに挿入しても、シャツの生地が薄くて柔軟であるので、ポケットチーフがずれやすく、重苦しい感じになるなど、見栄えが悪い。
【先行技術文献】
【特許文献】
【０００５】
【特許文献１】実開平６−２５３０７号公報
【考案の概要】
【考案が解決しようとする課題】
【０００６】
そこでこの考案は、シャツの胸ポケットに挿しても軽くて柔軟で位置ずれしにくく、体裁がよく、ネクタイ代わりに気軽に使えるようにすることを主な目的とする。
【課題を解決するための手段】
【０００７】
そのための手段は、シャツの胸ポケットに差し込まれて保持される本体部と、該本体部の端に形成されて前記本体部を前記胸ポケットに保持したときに前記胸ポケットから出る装飾部を有したポケットチーフであって、前記本体部と前記装飾部が繊維製シートで形成され、前記装飾部に、前記本体部を前記胸ポケットに保持したときに前記胸ポケットの口に係止する係止部が形成されたポケットチーフである。
【０００８】
この構成では、繊維製シートからなる本体部をシャツの胸ポケットに差し込むと、同じく繊維製シートからなる装飾部が胸ポケットから出て装飾を行い、この状態を係止部が胸ポケットの口に係止して保持する。繊維製シートは軽量さや柔軟性を有するので、シャツの胸ポケットに対して挿した時に、胸ポケットを必要以上に変形させることなく収まり、胸ポケット部分が動いた場合にはその動きに柔軟に追従して変形しつつ、胸ポケットに対する保持状態が維持される。
【０００９】
前記係止部は、前記装飾部における前記本体部側の端部の幅方向の端に前記本体部よりも幅方向に突出形成された突出部分か、前記装飾部の折り返し部分の少なくともいずれか一方であるとよい。
【００１０】
この構成では、係止部が突出部分である場合には、係止部が本体部よりも幅方向に突出するので、係止部の係止の態様と装飾部の形状によっては、装飾部の形状に凹凸を付けたりして装飾効果の高い挿し方も可能である。係止部である突出部分を前記装飾部の幅方向の両端に形成した場合には、突出部分を一端のみに形成する場合に比して、係止箇所が増えるので、安定した保持状態が維持される。また装飾効果の高い挿し方をするのにも資する。係止部が折り返し部分である場合には、折り返し部分がポケットの表面の少なくとも上側部分を覆うので、従来のポケットチーフとは趣の異なった装飾が可能で、保持状態の安定性も極めて高い。
【００１１】
前記繊維製シートは吸水性及び／又は払拭性能を有するものであるとよい。
【００１２】
この構成では、本体部と装飾部をハンカチとして、またスマートフォンなどの携帯機器やメガネを拭くためのものとして使用することもできる。特に本体部をそのように使用できるので、吸水や払拭のために面積を確保できる。
【００１３】
前記装飾部の表裏両面は互いに異なる意匠を有するものであってもよい。「意匠」とは、装飾のための形状、模様若しくは色彩又はこれらの結合である。
【００１４】
この構成では、２個の装飾部で相異なる４個の意匠を有することになり、シャツのデザインなどの使用環境に応じて意匠を選択して使用できる。
【００１５】
前記本体部の長さは、本体部を長手方向の中間部で折り返して該折り返し部を下にして前記胸ポケットに保持して前記係止部を前記胸ポケットの口に係止したときに、前記折り返し部が前記胸ポケットの底部に位置する長さであるとよい。
【００１６】
この構成では、本体部の差し込みは本体部を二重にして行うことができるので、少しでも張りを持たせることに寄与する。しかも差し込みに際しての折り曲げは２つに折るだけであるので容易である。また、ハンカチなどとして使用する場合には、作用面積をより広く得られる。
【００１７】
前記装飾部は前記本体部の長手方向の両端部に形成されていてもよい。
【００１８】
この構成では、両端の装飾部のいずれか一方、または双方で装飾を行うので、選択によって多様な装飾が可能である。
【００１９】
前記本体部は、携行品入れとなる空間を内部に有する袋状であってもよい。
【００２０】
この構成では、例えばスマートフォンなどの携帯機器や定期入れ、名刺入れなどの携行品を保護しながら携帯することができる。
【００２１】
前記本体部における少なくとも前記装飾部側の部位は、前記胸ポケットの幅よりも幅広であってもよい。
【００２２】
この構成では、本体部を胸ポケットに挿した時に、本体部の少なくとも装飾部側の部位が胸ポケット内で幅方向に圧縮される。このため、本体部や装飾部には幅を狭くする変形が起こり、張りのある保持状態が得られる上に、装飾部を波打たせたり膨らませたりして立体感を持たせることもできる。
【００２３】
前記本体部における前記装飾部近傍部位にも前記意匠を有するとよい。
【００２４】
この構成では、意匠の境目が胸ポケットの口から見えないようにすることが可能となる。
【考案の効果】
【００２５】
この考案によれば、シャツの胸ポケットに挿しても軽くて柔軟で位置ずれしにくく、体裁がよいポケットチーフが得られ、クールビズでも手軽にフォーマルさを演出したりファッション性を楽しんだりすることができる。
【図面の簡単な説明】
【００２６】
【図１】ポケットチーフと胸ポケットの斜視図。
【図２】使用状態の正面図。
【図３】使用状態の正面図。
【図４】ポケットチーフの表面と裏面を示す正面図。
【図５】ポケットチーフと胸ポケットの正面図。
【図６】ポケットチーフを挿した胸ポケットの正面図。
【図７】ポケットチーフを挿した他の例に係る旨ポケットの正面図。
【図８】他の例に係るポケットチーフの正面図。
【図９】他の例に係るポケットチーフの正面図。
【図１０】他の例に係るポケットチーフと胸ポケットの正面図。
【図１１】他の例に係るポケットチーフの正面図。
【図１２】係止部の他の例を示す要部の正面図。
【図１３】他の例に係るポケットチーフの正面図。
【図１４】他の例に係るポケットチーフを挿した胸ポケットの正面図。
【図１５】他の例に係るポケットチーフを挿した胸ポケットの正面図。
【図１６】他の例に係るポケットチーフの正面図。
【図１７】図１６のポケットチーフを挿した胸ポケットの正面図。
【図１８】他の例に係るポケットチーフの正面図。
【図１９】図１８のポケットチーフを挿した胸ポケットの正面図。
【図２０】他の例に係るポケットチーフの斜視図。
【考案を実施するための形態】
【００２７】
この考案を実施するための一形態を、以下図面を用いて説明する。  
図１は、ポケットチーフ１１をシャツ３１の胸ポケット３２に保持する前の状態を示す斜視図である。
【００２８】
ポケットチーフ１１は衣服、特にシャツ３１の胸ポケット３２に挿して胸元を装飾するためのものである。男女問わず使用できる。図２に示したようにポケットチーフ１１のみで装飾するほか、図３に示したようにネクタイ３３に合わせて装飾したりすることもできる。
【００２９】
図４にポケットチーフ１１の表面と裏面を示す。ポケットチーフ１１は、シャツ３１の胸ポケット３２に差し込まれて保持される本体部１２と、この本体部１２の端に形成されて本体部１２を胸ポケット３２に保持したときに胸ポケット３２から出る装飾部１３を有している。これら本体部１２と装飾部１３はともに繊維製シートで形成される。ここで、この考案で「繊維製シート」とは、布、織物、不織布（フェルト）といった繊維製品を指し、レースなどの生地を含む意味である。
【００３０】
繊維製シートは、吸水性と払拭性能の両方、またはこれらのいずれか一方を備えるものであるのが好ましい。吸水性はハンカチのように使用し得る性質である。払拭性能は物品の表面をぬぐった時に油分や汚れなどを除去できる性質である。さらに好ましくは、速乾性に優れた繊維製シートであるとよい。
【００３１】
本体部１２と装飾部１３は同一材料で構成しても、別材料で構成してもよい。また本体部１２と装飾部１３は一つの繊維製シートで構成しても、別々に形成したものを結合して構成してもよい。
【００３２】
本体部１２は長方形に形成され、この本体部１２の長手方向の両端部に装飾部１３が形成されている。２個の装飾部１３は外形形状が同一である。本体部１２の幅ａは、図５に示したように胸ポケット３２の幅ｗ、具体的には胸ポケット３２の内部の幅に嵌合対応する長さである。本体部１２の長さｂは、本体部１２を長手方向の中間部で折り返して重ね合わせたときに、胸ポケット３２の深さｄに嵌合対応する長さである。
【００３３】
装飾部１３は、適宜の形状に形成される。図示例では三角形に形成したが、その他の形状であってもよく、平面的であるほか、立体的であってもよい。装飾部１３は本体部１２の両端部に形成されるので２個存在することになり、これら２個の装飾部１３の表裏両面は、互いに異なる意匠を有する。すなわち、装飾のための形状、模様若しくは色彩又はこれらが組み合わせにより、異なる外観を有する。ただし、図４に示したように２個の装飾部１３の外形形状を同一にした場合には、外形形状以外の要素で異なる意匠を得ることになる。図４の図示で装飾部１３は模様を付したような外観であるが、これは便宜上そのように描いているだけであり、外形形状以外の形状や模様、色彩により意匠が構成される。
【００３４】
装飾部１３には、本体部１２を胸ポケット３２に保持したときに胸ポケット３２の口３２ａに係止する係止部が形成されている。具体的には装飾部１３における本体部１２側の端部の幅方向の両端に、本体部１２よりも幅方向に突出し本体部１２を胸ポケット３２に保持したときに胸ポケット３２の口３２ａに係止する突出部分である係止部１４が形成されている。係止部１４は水平に延びる係止辺１４ａを本体部１２側に有している。前述の本体部１２の長さｂについて換言すれば、本体部１２を長手方向の中間部で折り返して、折り返し部１２ａを下にして胸ポケット３２に保持し、係止部１４を胸ポケット３２の口３２ａに係止したときに、図６に示したように折り返し部１２ａが胸ポケット３２の底部に位置する長さである。
【００３５】
このように構成されたポケットチーフ１１は、図１に仮想線で示したように長い形状から、実線で示したように本体部１２の長手方向の中間位置で２つ折りにしてから、シャツ３１の胸ポケット３２に差し込んで保持される。保持に際しては、４つの意匠のうちシャツの色や柄などに応じて、所望の意匠を有する装飾部１３の片面が表れるように折りって差し込む。折り方は２つ折りであるので作業が極めて容易である。そのうえ本体部１２を差し込むだけでよいので、装着は簡単である。
【００３６】
この保持状態において、２つ折りの本体部１２は図６に示したように胸ポケット３２の内側で広がって、摩擦抵抗によって保持される上に、係止部１４が胸ポケット３２の口３２ａに係止する。このため、胸ポケット３２は必要以上に変形されることはなく、外観上美麗な状態であり、人体が動いたりしてシャツ３１の胸ポケット３２部分が動いた場合には、柔軟な本体部１２もそれに伴って変形しつつ、胸ポケット３２内にとどまる。特に係止部１４は装飾部１３が胸ポケット３２内に入り込んでしまうことを抑制する。この結果、装飾部１３が有する装飾作用は維持される。
【００３７】
係止部１４は幅方向に突出するものであるので、図６に示したように係止部１４を胸ポケット３２の口３２ａに引っ掛けるだけではなく、たとえば胸ポケット３２内に若干押し込み気味に保持すると、保持状態を維持できるうえに、図７に示したように装飾部１３の表面に凹凸を付けたりすることも可能で、必要や好みに応じて装飾効果を高めることもできる。
【００３８】
しかも、係止部１４は幅方向の両端に形成されているうえに装飾部１３が二重であるので、安定した保持状態を得られる。装飾効果を高める挿し方をする場合には、バリエーションを広げられる。
【００３９】
また本体部１２は、本体部１２を二重にして保持を行える長さに形成されているので、柔軟な繊維製シートに対して、少しでも張りのある状態を付与できる。このため差し込みやすく、保持状態は安定しやすいうえに、装飾部１３も二重であるので、この点からも安定して装飾効果を発揮させることができる。
【００４０】
さらに、本体部１２も装飾部１３も繊維製シートで構成されているので、吸水性や払拭性能を有する場合には、ポケットチーフ１１を繊維製シートが有する機能に応じた用途に使用できる。たとえば、ハンカチとして水分や汚れなどを除去したり、携帯機器やメガネなどの汚れを拭ったりするのに使用できる。本体部１２も繊維製シートであるので、そのような用途には本体部１２を使用すれば、ポケットチーフ１１を再び胸元の装飾に使用することも可能である。
【００４１】
本体部１２も繊維製シートであるため、吸水や払拭のための面積を確保できる。しかも、本体部１２は二重に折って使用するので、本体部１２の長さも長く得られ、吸水等の面積を広くとることができる。
【００４２】
以下、その他の例を説明する。この説明において、前述の構成と同一の部位については同一の符号を付してその詳しい説明を省略する。
【００４３】
図８は他の例に係るポケットチーフ１１の片面を示す正面図である。この図に示したように装飾部１３の形状は様々に形成できる。
【００４４】
また、２個形成する装飾部１３の外形形状は、互いに異なるものであってもよい。このように構成すると、装飾部１３同士が重なった時に別の形状があらわれるので、いずれの装飾部１３を表にするかの選択や、装飾部１３の重なり合い範囲の調整ができる。このほかに、いずれか一方の装飾部１３を出して他の装飾部１３を内側に折り込むか否かの選択と、色柄等との組み合わせも含めれば、多様な装飾部１３を、１枚のポケットチーフ１１で得ることができる。
【００４５】
図９は、他の例に係るポケットチーフ１１の正面図であり、本体部１２における装飾部１３近傍部位にも意匠を有する例を示している。図９中、仮想線は意匠を有する部位とその他の部位の境界を示す線である。境界の位置は、シャツ１３の胸ポケット３２の上端の重合部分３２ｂ（図６参照）の範囲に収まる程度に設定されるのが好ましい。意匠のうち模様や色彩が胸ポケット３２を透かして見えることを抑制できるからである。
【００４６】
このように構成すると、意匠の境目が胸ポケット３２の上端開口から露出しないようにすることが可能となる。
【００４７】
図１０は、他の例に係るポケットチーフ１１と胸ポケット３２の正面図である。このポケットチーフ１１は、本体部１２における少なくとも装飾部１３側の部位が、胸ポケット３２の幅ｗよりも幅広である例を示している。具体的には、本体部１２の全体の幅ａ１が、胸ポケット３２の幅ｗよりも若干広く設定されている。
【００４８】
この構成のポケットチーフ１１では、本体部１２を胸ポケット３２に挿した時に、仮想線で示したように本体部１２の少なくとも装飾部１３側の部位が胸ポケット３２内で幅方向に圧縮されるので、本体部１２や装飾部１３に幅を狭くする変形が起こる。このため、本体部１２の長手方向において張りのある保持状態が得られる上に、装飾部１３を波打たせたり膨らませたりして立体感を持たせることもできる。
【００４９】
本体部１２は、図１１に示したように、胸ポケット３２の底に近い部分の幅を胸ポケット３２の幅ｗに対応させた幅ａとし、前述の幅ａ１のような幅広の部分は装飾部１３側の部位のみとしてもよい。このように構成すると、胸ポケット３２の底に近い部分でごわつくのを抑制できる。
【００５０】
図１２は係止部１４の形状例を示した正面図である。図１２中、仮想線は、装飾部１３の形状が問われないことを表している。
【００５１】
図１２の（ａ）は係止部１４を円形に構成した例であり、円弧状の係止辺１４ａを有している。図１２の（ｂ）は係止部１４を三角形に構成した例であり、本体部１２から離れる方向に傾く係止辺１４ａを有している。図１２の（ｃ）は係止部１４を三角形に構成した例であり、本体部１２に近づく方向に傾く係止辺１４ａを有している。図１２の（ｄ）は係止部１４を三角形に構成した例であり、本体部１２の上に形成された幅方向内側に入り込む半円形の切り込みを介して係止部１４が形成されている。係止部１４は、水平に延びる水平辺１４ａと内側の入り込む半円弧辺１４ｂを有する。いずれの構成の係止部１４であっても、前述と同様にポケットチーフ１１の保持状態の維持に寄与する上に、胸ポケット３２に対する差し込み時に装飾部１３に対して装飾性を付与する。
【００５２】
図１３は他の例に係るポケットチーフ１１の正面図であり、この図に示したように、係止部１４は幅方向の一方のみに形成してもよい。また、本体部１２は胸ポケット３２の深さ方向に対応する方向で２つ折りにしないで胸ポケット３２に挿入できる長さに、つまり胸ポケットの深さに嵌合対応する長さに設定してもよい。
【００５３】
図１４は係止部として、前述のような突出部分である係止部１４のほかに、折り返し部分である係止部１５も備えたポケットチーフ１１の使用状態に係る正面図である。
【００５４】
図１４に示したポケットチーフ１１の基本構造は、図４に示したポケットチーフ１１と同一である。相違点は、本体部１２と装飾部１３の間に折り目（図示せず）を形成するか、折り目を形成せずとも本体部１２と装飾部１３の間で折り曲げてその形状を保持できる素材としていることである。
【００５５】
このような構成では、図１４（ａ）に示したように重なり合った両端の装飾部１３を２枚とも胸ポケット３２の口３２ａで本体部１２に重なる方向に折り返すと、突出部分である両端の係止部１４による係止と同時に、口３２ａに係止し、広い範囲で安定して保持が行える。この装飾部１３による装飾は、胸ポケット３２から上に飛び出すように行う装飾とは趣の変わった、新規性に富む装飾である。図１４（ｂ）に示したように、２枚の装飾部１３のうち表側の一方の装飾部１３のみを折り返して、折り返し部分である係止部１５を形成して保持してもよい。
【００５６】
また、図８を示して説明した事項と関連することであるが、本体部１２の両端の装飾部１３の形状を相違させておき、明確な折り目を形成せずに本体部１２と装飾部１３の間で折り曲げられるようにしておくとよい。このように構成すると、例えば図１５（ａ）に示したように２つの装飾部１３を胸ポケット３２から立たせて装飾する場合には、突出部分である係止部１４で係止したり、図１５（ｂ）に示したように一方の装飾部１３のみを胸ポケット３２から立たせて装飾する場合には、他方の装飾部１３を折り返して折り返し部分である係止部１５を形成して双方の係止部１４，１５で係止したりする。２枚の装飾部１３を係止部１５とすることもできる。このように多様な係止態様と、多様な装飾態様が得られる。
【００５７】
図１６は他の例に係るポケットチーフ１１の正面図である。このポケットチーフ１１は、本体部１２の長手方向の両端に装飾部１３を有し、係止部は、折り返し部分である係止部１５のみで構成している。すなわち、本体部１２と装飾部１３の間に折り目（図示せず）を形成するか、折り目を形成せずとも本体部１２と装飾部１３の間で折り曲げてその形状を保持できるように構成している。
【００５８】
このように構成されたポケットチーフ１１は、図１７に示したように、装飾部１３が胸ポケット３２の口３２ａに係止部１５として係止して、挿入状態が安定して保持される。突出部分である係止部１４を有しないため、本体部１２から装飾部１３までが直線で構成されていると、図１６に示したように装飾部１３の幅が胸ポケット３２の幅よりも若干狭くなる。
【００５９】
この点、図１８に示したように、本体部１２と装飾部１３の間に段差部１６を形成して、装飾部１３が本体部１２よりも若干広く形成すると、図１９に示したように、装飾部１３が胸ポケット３２の上部を幅広に覆う装飾状態が得られる。段差部１６は直線の組み合わせで構成するほか、曲線を利用して構成してもよい。
【００６０】
なお、図１８における本体部１２と装飾部１３の間に段差部１６は、単なる段差とするほか、突出部分としての係止部とすることもできる。
【００６１】
図２０は本体部１２が携行品入れとなる空間を内部に有する袋状であるポケットチーフ１１の斜視図である。つまり本体部１２は一方の端に出し入れ口１７を有し、この端、つまり出し入れ口１７を形成する２枚の片に装飾部１３が形成されている。装飾部１３における本体部１２側の幅方向の両端には突出部分である係止部１４が形成され、図示は省略するが本体部１２と装飾部１３の間は折り曲げて形状保持可能にし、折り返し部分である係止部１５を形成できるように構成されている。
【００６２】
このように構成されたポケットチーフ１１では、出し入れ口１７から携行品１８を収納して、その状態で胸ポケット３２に挿入する。ポケットチーフ１１だけを胸ポケット３２に挿入してから携行品１８を収納してもよい。ポケットチーフ１１を胸ポケット３２に挿すと、係止部１４、または係止部１４と係止部１５によって挿入状態が保持される。ポケットチーフ１１の挿入後は、ポケットチーフ１１の装飾部１３を適宜の形状にして胸元を装飾する。
【００６３】
ポケットチーフ１１の本体部１２が袋状であるので、本体部１２を折る手間が省けるうえに、胸ポケット３２に対する挿入動作が容易である。しかも、携行品１８を確実に保護できるうえに、収納された携行品１８は芯材のような機能を果たすが、本体部１２が袋状であるので携行品１８と本体部１２の一体性は高く、繊維製の本体部１２は胸ポケット３２との一体性が高いので、良好な保持状態が得られる。携行品１８が例えばスマートフォンのような物品である場合には、これを常にきれいに維持することも可能である。
【００６４】
以上のようにシャツに好適に使用できるポケットチーフ１１のであるが、このポケットチーフ１１はシャツ３１以外の衣服に使用してもよい。
【符号の説明】
【００６５】
１１…ポケットチーフ
１２…本体部
１２ａ…折り返し部
１３…装飾部
１４，１５…係止部
１８…携行品
３１…シャツ
３２…胸ポケット
３２ａ…口
【図１】
0003204622.tif 000003
【図２】
0003204622.tif 000004
【図３】
0003204622.tif 000005
【図４】
0003204622.tif 000006
【図５】
0003204622.tif 000007
【図６】
0003204622.tif 000008
【図７】
0003204622.tif 000009
【図８】
0003204622.tif 000010
【図９】
0003204622.tif 000011
【図１０】
0003204622.tif 000012
【図１１】
0003204622.tif 000013
【図１２】
0003204622.tif 000014
【図１３】
0003204622.tif 000015
【図１４】
0003204622.tif 000016
【図１５】
0003204622.tif 000017
【図１６】
0003204622.tif 000018
【図１７】
0003204622.tif 000019
【図１８】
0003204622.tif 000020
【図１９】
0003204622.tif 000021
【図２０】
0003204622.tif 000022
【手続補正書】
【提出日】平成28年3月30日(2016.3.30)
【手続補正１】
【補正対象書類名】実用新案登録請求の範囲
【補正対象項目名】全文
【補正方法】変更
【補正の内容】
【実用新案登録請求の範囲】
【請求項１】
シャツの胸ポケットに差し込まれて保持される本体部と、該本体部の端に形成されて前記本体部を前記胸ポケットに保持したときに前記胸ポケットから出る装飾部を有したポケットチーフであって、
前記本体部と前記装飾部が繊維製シートで形成され、
前記装飾部に、前記本体部を前記胸ポケットに保持したときに前記胸ポケットの口に係止する係止部が形成された
ポケットチーフ。
【請求項２】
前記係止部が、前記装飾部における前記本体部側の端部の幅方向の端に前記本体部よりも幅方向に突出形成された突出部分及び／又は前記装飾部の折り返し部分である
請求項１に記載のポケットチーフ。
【請求項３】
前記繊維製シートが吸水性及び／又は払拭性能を有するものである
請求項１または請求項２に記載のポケットチーフ。
【請求項４】
前記装飾部の表裏両面が互いに異なる意匠を有する
請求項１から請求項３のうちいずれか一項に記載のポケットチーフ。
【請求項５】
前記本体部における前記装飾部近傍部位にもその装飾部の同一面に有する意匠と同じ意匠を有する
請求項４に記載のポケットチーフ。
【請求項６】
前記本体部の長さが、本体部を長手方向の中間部で折り返して該折り返し部を下にして前記胸ポケットに保持して前記係止部を前記胸ポケットの口に係止したときに、前記折り返し部が前記胸ポケットの底部に位置する長さである
請求項１から請求項５のうちいずれか一項に記載のポケットチーフ。
【請求項７】
前記装飾部が前記本体部の長手方向の両端部に形成された
請求項１から請求項６のうちいずれか一項に記載のポケットチーフ。
【請求項８】
前記本体部が、携行品入れとなる空間を内部に有する袋状である
請求項１から請求項５のうちいずれか一項に記載のポケットチーフ。
【請求項９】
前記本体部における少なくとも前記装飾部側の部位が、前記胸ポケットの幅よりも幅広である
請求項１から請求項８のうちいずれか一項に記載のポケットチーフ。